(57)【特許請求の範囲】
【請求項１】
回動可能に構成され、被削材に形成される下穴に回動した状態で進入し、前記下穴に対してボーリング加工を行うボーリング工具であって、
先端部に取り付けられる三つ以上のチップを具備し、
該各チップの先端部には、
前記ボーリング工具が前記下穴に進入したときに前記下穴と接触し、前記下穴を切削する第一の刃部と、
前記第一の刃部に対して、前記進入方向と反対側の方向に所定の間隔だけ離間するとともに、前記ボーリング工具の径方向外側に突出し、該突出量が前記下穴に対するボーリング加工の加工精度に影響を与えない程度の寸法に設定され、前記ボーリング工具が前記下穴に進入したときに、前記下穴と接触し、前記下穴を切削する第二の刃部と、
が形成され、
前記各第一の刃部は、
前記下穴に対して互いに同じ姿勢で、前記ボーリング工具の周方向に互いに等間隔に配置されるとともに、前記ボーリング工具の進行方向に互いにずれることなく配置され、前記ボーリング工具の回動中心から、前記ボーリング工具の径方向外側の端部までの長さが互いに同一となり、
前記各第二の刃部は、
前記下穴に対して互いに同じ姿勢で、前記ボーリング工具の周方向に互いに等間隔に配置されるとともに、前記ボーリング工具の進行方向に互いにずれることなく配置され、前記ボーリング工具の回動中心から、前記ボーリング工具の径方向外側の端部までの長さが互いに同一となり、
前記各チップの外側の端面には、前記下穴の内周面と面で接触する接触部が形成され、
前記ボーリング工具の回動中心方向と前記接触部との成す角度α１は、前記ボーリング工具の回動中心方向と前記チップの外側の端面との成す角度α２よりも小さい、
ボーリング工具。
【発明の詳細な説明】
【技術分野】
【０００１】
本発明は、被削材に形成される下穴に進入させることで、下穴を加工するボーリング工具に関する。
【背景技術】
【０００２】
従来から、ボーリング工具を用いて、被削材の下穴（例えば、鋳造等により成形される鋳抜き穴）に対してボーリング加工を行っている。ボーリング工具は、その先端部にチップが取り付けられ、工作機械の主軸等に装着することで回動可能に構成される。
ボーリング工具は、回動した状態で下穴に進入し、チップを下穴に接触させることで、下穴を切削する。また、荒加工に対応するボーリング工具および仕上加工に対応するボーリング工具にて、下穴を合計二回切削する。
つまり、二回の工程に分けて下穴を加工するため、生産性が低かった。
【０００３】
このような問題を解決するボーリング工具として、特許文献１に開示されるボーリングカッタ（ボーリング工具）が開示されている。
特許文献１に開示されるボーリングカッタは、図８（ａ）および図８（ｂ）に示すように、ボデー（工具本体）に、ボデーの径方向および軸方向に一定量ずつ段階的にずらした状態で、複数のチップが取り付けられる。各チップは、最もボデーの先端側に取り付けられるチップが最もボデーの径方向内側に位置し、最もボデーの後端側に取り付けられるチップが最もボデーの径方向外側に位置するような位置関係となる。
【０００４】
特許文献１に開示されるボーリングカッタでは、ボデーの最も後端側に配置されるチップが仕上刃として機能する（仕上加工を行う）。このような仕上刃の取代の最大値は、チップの枚数や下穴の加工量（加工前後の下穴の内径寸法）等に応じたものとなる。
従って、下穴の加工量が一定である場合、チップの枚数が少なければ仕上刃の取代の最大値が大きくなる。つまり、常に仕上刃の取代が最大となるような状態でボーリング加工を行う場合、常に仕上刃にかかる切削抵抗が最大となる（図８（ｂ）参照）。この場合、加工精度が悪化してしまう可能性がある。
また、ボデーの軸方向に所定量ずつチップがずれていることにより、切削バランスが悪くなってしまう。このため、加工精度が悪化してしまう。
【０００５】
仕上刃にかかる切削抵抗を小さくするという観点から、図９（ａ）および図９（ｂ）に示すように、各チップのボデーの径方向へのずれ量を変動させ、仕上刃の取代の最大値を少なくする構成が考えられる。このような構成では、各チップにかかる切削抵抗の最大値に違いが生じる（図９（ａ）参照）。
従って、切削バランスが悪くなり、加工精度が悪化してしまう。
【０００６】
ボーリング加工においては、図１０および図１１に示すように、下穴の加工量が部分的に（例えば、ある位相だけ）増大または減少する可能性がある。
このような場合としては、例えば、加工中心（ボーリング工具の回動中心）を下穴の中心に合わせたときに加工中心が下穴の中心に対してずれた場合（ボーリング工具が芯ずれした場合、図１０参照）や、下穴に偏肉がある場合（図１１参照）等がある。
この場合、図１２に示すように、ボーリング工具が被削材に対して片あたりし、ボーリング工具が傾いた状態で下穴を切削してしまう（偏肉切削してしまう）可能性がある。
【０００７】
このように、ボーリング加工においては、ボーリング工具を駆動させる工作機械や被削材等、ボーリング工具以外の外的な要因が発生し、加工精度が悪化してしまう場合がある。
【０００８】
特許文献１に開示されるボーリングカッタによるボーリング加工では、前記外的な要因が発生した場合、仕上刃にかかる切削抵抗や切削バランスによる加工精度の悪化に加えて、偏肉切削による加工精度の悪化がさらに加わってしまう。この場合、下穴に求められる加工精度を確保できない可能性がある。
【先行技術文献】
【特許文献】
【０００９】
【特許文献１】特開２００５−１８６１８１号公報
【発明の概要】
【発明が解決しようとする課題】
【００１０】
本発明は、以上の如き状況を鑑みてなされたものであり、加工精度を向上できるとともに、外的な要因による加工精度の悪化を抑制できるボーリング工具を提供するものである。
【課題を解決するための手段】
【００１１】
請求項１においては、回動可能に構成され、被削材に形成される下穴に回動した状態で進入し、前記下穴に対してボーリング加工を行うボーリング工具であって、先端部に取り付けられる三つ以上のチップを具備し、該各チップの先端部には、前記ボーリング工具が前記下穴に進入したときに前記下穴と接触し、前記下穴を切削する第一の刃部と、前記第一の刃部に対して、前記進入方向と反対側の方向に所定の間隔だけ離間するとともに、前記ボーリング工具の径方向外側に突出し、該突出量が前記下穴に対するボーリング加工の加工精度に影響を与えない程度の寸法に設定され、前記ボーリング工具が前記下穴に進入したときに、前記下穴と接触し、前記下穴を切削する第二の刃部と、が形成され、前記各第一の刃部は、前記下穴に対して互いに同じ姿勢で、前記ボーリング工具の周方向に互いに等間隔に配置されるとともに、前記ボーリング工具の進行方向に互いにずれることなく配置され、前記ボーリング工具の回動中心から、前記ボーリング工具の径方向外側の端部までの長さが互いに同一となり、前記各第二の刃部は、前記下穴に対して互いに同じ姿勢で、前記ボーリング工具の周方向に互いに等間隔に配置されるとともに、前記ボーリング工具の進行方向に互いにずれることなく配置され、前記ボーリング工具の回動中心から、前記ボーリング工具の径方向外側の端部までの長さが互いに同一となり、前記各チップの外側の端面には、前記下穴の内周面と面で接触する接触部が形成され、前記ボーリング工具の回動中心方向と前記接触部との成す角度α１は、前記ボーリング工具の回動中心方向と前記チップの外側の端面との成す角度α２よりも小さい、ものである。
【発明の効果】
【００１２】
本発明は、仕上刃にかかる切削抵抗による加工精度への影響度合いを小さくできるとともに切削バランスを向上できるため、加工精度を向上できるとともに外的な要因による加工精度の悪化を抑制できる、という効果を奏する。
【図面の簡単な説明】
【００１３】
【図１】ボーリング工具の構成を示す図。（ａ）正面図。（ｂ）図１（ａ）におけるＡ−Ａ断面図。
【図２】チップを示す説明図。
【図３】接触面を示す説明図。
【図４】チップの位置関係を示す図。（ａ）正面図。（ｂ）図４（ａ）におけるＡ−Ａ断面図。
【図５】荒刃が被削材を切削する状態を示す図。（ａ）正面図。（ｂ）図５（ａ）におけるＡ−Ａ部分拡大断面図。
【図６】荒刃および仕上刃が被削材を切削する状態を示す図。（ａ）正面図。（ｂ）図６（ａ）におけるＡ−Ａ部分拡大断面図。
【図７】製品形状に制約がある場合のチップの形状を示す断面図。（ａ）二段形状のチップを示す図。（ｂ）三段形状のチップを示す図。
【図８】従来の各チップの径方向の間隔が同一でないボーリング工具を示す図。（ａ）正面図。（ｂ）説明図。
【図９】従来の各チップの径方向の間隔が同一であるボーリング工具を示す図。（ａ）正面図。（ｂ）説明図。
【図１０】ボーリング工具が芯ずれした状態を示す断面図。
【図１１】下穴に偏肉がある被削材を示す断面図。
【図１２】偏肉切削を示す断面図。
【発明を実施するための形態】
【００１４】
以下では、図面を参照して本実施形態のボーリング工具１０について説明する。
【００１５】
ボーリング工具１０は、図１（ａ）および図１（ｂ）に示すように、被削材Ｗに形成される下穴Ｗ１（本実施形態では鋳造により製造されるＨＶケースの鋳抜き穴）に対してボーリング加工を行うものである。
ボーリング工具１０は、略円柱状の工具本体１１が回動可能な主軸（例えば、工作機械の主軸等）に装着されることにより、回動可能に構成される。
【００１６】
ボーリング工具１０は、主軸を移動させる所定の移動機構により、被削材Ｗに対して近接離間可能に構成されるとともに、加工中心Ｃ（工具本体１１の回動中心）を下穴の中心Ｃ１に位置合わせ可能に構成される。ボーリング工具１０は、三つのチップ２０・３０・４０を具備する。
【００１７】
なお、以下では、説明の便宜上、ボーリング工具１０が被削材Ｗに対して接近する方向（図１（ｂ）における左方向）を前方向として、「ボーリング工具１０の前後方向」を規定する。
【００１８】
各チップ２０・３０・４０は、それぞれボルト孔２５・３５・４５に螺合するボルトを介して、工具本体１１の前端部（先端部）に取り付けられ、工具本体１１の回動に伴って一体的に回動する。
【００１９】
なお、各チップ２０・３０・４０は全て同じ形状である。従って、各チップ２０・３０・４０の形状の説明は、チップ２０についてのみ行う。
【００２０】
チップ２０は、図２に示すように、それぞれその厚み方向から見た場合、略三角形状の部材である。チップ２０の頂点部分には、突出部２１・２１・２１が形成される。
【００２１】
なお、各突出部２１・２１・２１は全て同じ形状である。従って、各突出部２１・２１・２１の形状の説明は、チップの前側２０ａとチップの外側２０ｂとの間に形成される突出部２１（図２では右下側の突出部２１）についてのみ行う。
【００２２】
突出部２１は、チップの前側２０ａの一端部（図２では右端部）より、後方向に向かって折れ曲がった後で、チップ２０の一端側に向かって折れ曲がり、その後、斜め後方向（図２では左斜め後方向）に向かってさらに折れ曲がるような階段形状である。
このような突出部２１には、荒刃２２、仕上刃２３、および接触面２４が形成される。
【００２３】
第一の刃部としての荒刃２２は、チップの前側２０ａの一端部に形成される刃である。
荒刃２２は、回動する工具本体１１が下穴Ｗ１に進入したときに、下穴Ｗ１と接触し、下穴Ｗ１を切削する。
【００２４】
加工中心Ｃから、荒刃２２の、工具本体１１の径方向（以下、単に「径方向」と表記する）の外側の端部までの長さ寸法Ｒ２２（図１（ａ）および図４（ａ）参照）は、ボーリング工具１０による加工後の下穴Ｗ１の内径寸法（下穴の中心Ｃ１から内周面までの寸法）よりもやや小さくなる。
ボーリング工具１０は、荒刃２２により下穴Ｗ１を切削することで、下穴Ｗ１に対して荒加工を行う。
【００２５】
第二の刃部としての仕上刃２３は、荒刃２２の一端部より後方向に向かって折れ曲がった後で、前記チップ２０の一端側に向かって折れ曲がった部分に形成される刃である。
すなわち、仕上刃２３は、荒刃２２に対して、後方向に所定の間隔だけ離間するとともに、径方向外側に突出する。仕上刃２３は、回動する工具本体１１が下穴Ｗ１に進入したときに、下穴Ｗ１と接触し、下穴Ｗ１を切削する。
【００２６】
加工中心Ｃから仕上刃２３の径方向外側の端部までの長さ寸法Ｒ２３（図１（ａ）および図４（ａ）参照）は、ボーリング工具１０による加工後の下穴Ｗ１の内径寸法と略同一となる。
ボーリング工具１０は、仕上刃２３により下穴Ｗ１を切削することで、下穴Ｗ１に対して仕上加工を行う。
【００２７】
つまり、チップ２０は、突出部２１を階段形状とすることで、下穴Ｗ１を切削するための刃を、荒刃２２および仕上刃２３に分割し、下穴Ｗ１に対して荒加工および仕上加工を一体的に行う構成である（図６（ｂ）参照）。
【００２８】
図３に示すように、接触面２４は、仕上刃２３の一端部（図３では右端部）よりチップの外側２０ｂに向かって、斜め後方向（図３では左斜め後方向）に延びる面である。
前後方向（図３では上下方向）と接触面２４とが成す角度α１は、前後方向とチップの外側２０ｂとが成す角度α２よりも小さくなる。
【００２９】
図２に示すように、各突出部２１・２１・２１は、ボルト孔２５の中心を基準とした円周方向に、互いに等間隔に位相をずらしたような位置関係となる。
【００３０】
チップの外側２０ｂとチップの内側２０ｃとの間に形成される突出部２１（図２では上側の突出部２１）の荒刃２２および仕上刃２３と、チップの前側２０ａとチップの内側２０ｃとの間に形成される突出部２１（図２では左下側の突出部２１）の荒刃２２および仕上刃２３とは、下穴Ｗ１の切削を行わない。
つまり、図２では上側および左下側の各突出部２１・２１に形成される各荒刃２２・２２および各仕上刃２３・２３は、予備の荒刃および予備の仕上刃である。
【００３１】
切削を行っている荒刃２２および仕上刃２３（つまり、図２では右下側の荒刃２２および仕上刃２３）が摩耗したとき、チップ２０を、中心（ボルト孔２５の中心）を基準として回転させる。そして、前記予備の荒刃および予備の仕上刃を、切削を行う位置に移動させることで、ボーリング工具１０は、荒刃２２および仕上刃２３の摩耗に容易に対応できる。
【００３２】
図１（ａ）および図１（ｂ）に示すように、チップ２０は、工具本体１１の前端部に取り付けられ、その前側２０ａが工具本体１１の前端部より前方向に突出する。
【００３３】
このような各チップ２０・３０・４０は、それぞれ以下のような位置関係となる。
【００３４】
すなわち、図４（ａ）に示すように、各チップ２０・３０・４０は、工具本体１１の周方向（以下、単に「周方向」と表記する）に互いに等間隔に配置される。つまり、各チップ２０・３０・４０は、加工中心Ｃを基準とした円周方向に、互いに等間隔に位相をずらしたような位置関係となる（図４（ａ）に示す角度β１・β２・β３参照）。
【００３５】
従って、各荒刃２２・３２・４２は、周方向に互いに等間隔に配置される（図１（ａ）参照）。
また、各仕上刃２３・３３・４３は、周方向に互いに等間隔に配置される（図１（ａ）参照）。
【００３６】
各チップ２０・３０・４０は、加工中心Ｃから径方向外側の端部までの長さが互いに同一となる。
【００３７】
従って、各荒刃２２・３２・４２は、加工中心Ｃから径方向外側の端部までの長さが互いに同一となる（図４（ａ）に示す長さ寸法Ｒ２２・Ｒ３２・Ｒ４２参照）。
また、各仕上刃２３・３３・４３は、加工中心Ｃから径方向外側の端部までの長さが互いに同一となる（図４（ａ）に示す長さ寸法Ｒ２３・Ｒ３３・Ｒ４３参照）。
【００３８】
各チップ２０・３０・４０は、その前側２０ａ・３０ａ・４０ａが径方向に対して平行となる。また、図４（ｂ）に示すように、各チップの前側２０ａ・３０ａ・４０ａが前後方向に互いにずれることなく配置される（図４（ｂ）に示す線Ｌ１参照）。
【００３９】
従って、各荒刃２２・３２・４２は、下穴Ｗ１に対して互いに同じ姿勢で、前後方向に互いにずれることなく配置される（図６（ｂ）に示す線Ｌ１参照）。
また、各仕上刃２３・３３・４３は、下穴Ｗ１に対して互いに同じ姿勢で、前後方向に互いにずれることなく配置される（図６（ｂ）に示す線Ｌ２参照）。
【００４０】
以下では、ボーリング工具１０により行われるボーリング加工について説明する。
【００４１】
図１（ｂ）に示すように、ボーリング工具１０は、主軸を移動させる移動機構により、被削材Ｗに接近する。そして、主軸の回動により、工具本体１１は回動を開始する。
その後、図５（ａ）および図５（ｂ）に示すように、工具本体１１は、回動した状態で下穴Ｗ１に進入する。
【００４２】
なお、図１（ｂ）、図５（ｂ）、および図６（ｂ）では、外的な要因が発生せず、下穴Ｗ１の加工量（加工前後の下穴Ｗ１の内径寸法）が部分的に（ある位相だけ）増大または減少しない場合の、ボーリング工具１０と被削材Ｗとの状態を示している。
【００４３】
このような外的な要因としては、加工中心Ｃを下穴の中心Ｃ１に合わせたときに、下穴の中心Ｃ１に対して加工中心Ｃずれた場合（ボーリング工具１０が芯ずれした場合、図１０参照）や下穴Ｗ１に偏肉がある場合（図１１参照）等がある。
【００４４】
工具本体１１が下穴Ｗ１に進入したとき、まず、各荒刃２２・３２・４２が下穴Ｗ１と接触し、下穴Ｗ１の切削を開始する。つまり、ボーリング工具１０は、荒加工を開始する。
【００４５】
各荒刃２２・３２・４２は、前述のように、周方向に互いに等間隔に配置されるとともに、加工中心Ｃから径方向外側の端部までの長さ寸法Ｒ２２・Ｒ３２・Ｒ４２が互いに同一である（図４（ａ）参照）。また、各荒刃２２・３２・４２は、前述のように、下穴Ｗ１に対して互いに同じ姿勢である。
【００４６】
このため、仮に外的な要因が発生していない場合（つまり、ボーリング工具１０が芯ずれせず、下穴Ｗ１に偏肉がない場合）、各荒刃２２・３２・４２の取代は常に同一となる。この場合、各荒刃２２・３２・４２にかかる切削抵抗Ｆ２２・Ｆ３２・Ｆ４２は、互いに同一となる。
【００４７】
このような場合には、各切削抵抗Ｆ２２・Ｆ３２・Ｆ４２は、同じ大きさで互いに打ち消しあうように作用する。従って、ボーリング工具１０は、各荒刃２２・３２・４２による切削時の切削バランスを良好な状態に保つことができる。
これにより、ボーリング工具１０は、切削バランスを向上できる。
【００４８】
また、仮に前記外的な要因が発生した場合（つまり、ボーリング工具１０が芯ずれした場合や下穴Ｗ１に偏肉がある場合）、下穴Ｗ１の加工量が部分的に増大または減少する。
【００４９】
この場合、例えば、前記加工量が部分的に増大する部分を荒刃２２が切削したとき、切削抵抗Ｆ２２が一時的に増大する。つまり、切削抵抗Ｆ２２は、他の切削抵抗Ｆ３２・Ｆ４２よりも一時的に大きくなる。
また、前記加工量が部分的に減少する部分を荒刃２２が切削した場合、切削抵抗Ｆ２２は、他の切削抵抗Ｆ３２・Ｆ４２よりも一時的に小さくなる。
【００５０】
周方向に等間隔に配置される二つのチップを具備するボーリング工具では、このような場合、二つのチップにかかる切削抵抗が互いに打ち消しあうように作用するが、各切削抵抗の間で生じる一時的な差異は、下穴Ｗ１の加工量の増減度合いに応じたものとなる。
従って、前記下穴Ｗ１の加工量の増減度合いが大きい場合には、各切削抵抗の間で生じる一時的な差異が大きくなり、切削バランスが悪化してしまう。
【００５１】
一方、本実施形態のように周方向に等間隔に配置される三つのチップ２０・３０・４０を具備するボーリング工具１０では、三つの切削抵抗Ｆ２２・Ｆ３２・Ｆ４２が互いに打ち消しあうように作用する。
この場合、各切削抵抗Ｆ２２・Ｆ３２・Ｆ４２の間で生じる一時的な差異は、前記下穴Ｗ１の加工量の増減度合いに応じたものよりも小さくなる。
【００５２】
このように、ボーリング工具１０は、前記外的な要因が発生した場合でも、切削バランスの悪化を抑制できる。
【００５３】
以上より、工具本体１１に取り付けるチップの枚数は、三枚以上であることが好ましい。つまり、ボーリング工具１０は三枚以上のチップ２０・３０・４０を具備する構成であることが好ましい。
【００５４】
図６（ａ）および図６（ｂ）に示すように、各荒刃２２・３２・４２が下穴Ｗ１と接触した後で、ボーリング工具１０がさらに下穴Ｗ１内に進入して、各仕上刃２３・３３・４３が下穴Ｗ１と接触し、下穴Ｗ１の切削を開始する。つまり、ボーリング工具１０は、仕上加工を開始する。
【００５５】
各仕上刃２３・３３・４３は、前述のように、周方向に互いに等間隔に配置されるとともに、加工中心Ｃから径方向外側の端部までの長さ寸法Ｒ２３・Ｒ３３・Ｒ４３が互いに同一である（図４（ａ）参照）。また、各仕上刃２３・３３・４３は、前述のように、下穴Ｗ１に対して互いに同じ姿勢である。
【００５６】
このため、仮に前記外的な要因が発生していない場合、各仕上刃２３・３３・４３にかかる切削抵抗Ｆ２３・Ｆ３３・Ｆ４３は、互いに同一となる。
【００５７】
従って、ボーリング工具１０は、各荒刃２２・３２・４２の場合と同様に、各仕上刃２３・３３・４３による切削時の切削バランスを良好な状態に保つことができる。つまり、切削バランスを向上できる。
【００５８】
また、仮に前記外的な要因が発生した場合、各切削抵抗Ｆ２３・Ｆ３３・Ｆ４３の間で一時的に差異が生じるが、各荒刃２２・３２・４２の場合と同様に、三つの切削抵抗Ｆ２３・Ｆ３３・Ｆ４３が互いに打ち消しあうように作用する。
【００５９】
このように、本実施形態のボーリング工具１０では、前記外的な要因が発生した場合でも、各切削抵抗Ｆ２２・Ｆ３２・Ｆ４２および各切削抵抗Ｆ２３・Ｆ３３・Ｆ４３の間で生じる一時的な差異をより小さくできるため、切削バランスの悪化を抑制できる。
これにより、ボーリング工具１０は、前記外的な要因による加工精度の悪化を抑制できる。
【００６０】
ここで、各仕上刃２３・３３・４３の取代（仕上刃２３が下穴Ｗ１を切削する量）は、図６（ｂ）に示すような各荒刃２２・３２・４２が切削した部分を各仕上刃２３・３３・４３が切削するとき等に最大となる。
【００６１】
仮に、このような各切削抵抗Ｆ２３・Ｆ３３・Ｆ４３の最大値が大きい場合には、下穴Ｗ１の加工精度が悪化してしまう可能性がある。
【００６２】
このため、本実施形態では、各切削抵抗Ｆ２３・Ｆ３３・Ｆ４３の最大値が、下穴Ｗ１に求められる加工精度に影響を与えない程度となるように、各仕上刃２３・３３・４３の取代の最大値を設定している。
【００６３】
すなわち、各仕上刃２３・３３・４３は、下穴Ｗ１に求められる加工精度に応じて、各荒刃２２・３２・４２に対する突出寸法（図４（ａ）に示す長さ寸法Ｒ２２・Ｒ３２・Ｒ４２と長さ寸法Ｒ２３・Ｒ３３・Ｒ４３との差異）が適宜設定されている。
【００６４】
このように、各仕上刃２３・３３・４３の、各荒刃２２・３２・４２に対する径方向外側への突出量は、切削抵抗Ｆ２３・Ｆ３３・Ｆ４３の最大値に基づいて決定される。
【００６５】
従って、各切削抵抗Ｆ２３・Ｆ３３・Ｆ４３が常に最大となるような状態でボーリング加工を行った場合でも、各切削抵抗Ｆ２３・Ｆ３３・Ｆ４３が与える加工精度への影響度合いは小さくなる。
これにより、ボーリング工具１０は、各切削抵抗Ｆ２３・Ｆ３３・Ｆ４３による加工精度の悪化を抑制できる。つまり、加工精度を向上できる。
【００６６】
各荒刃２２・３２・４２および各仕上刃２３・３３・４３は、前述のように前後方向に互いにずれることなく配置される（図６（ｂ）に示す線Ｌ１・Ｌ２参照）。
【００６７】
このため、下穴Ｗ１の各荒刃２２・３２・４２および各仕上刃２３・３３・４３との接触部分が平らである場合、各荒刃２２・３２・４２および各仕上刃２３・３３・４３は、同時に下穴Ｗ１と接触する。
従って、各切削抵抗Ｆ２２・Ｆ３２・Ｆ４２は、それぞれ同時に発生する。また、各切削抵抗Ｆ２３・Ｆ３３・Ｆ４３も、それぞれ同時に発生する。
【００６８】
つまり、本実施形態のボーリング工具１０は、外的な要因である下穴Ｗ１の各チップ２０・３０・４０との接触部分の形状によってのみ、各切削抵抗Ｆ２２・Ｆ３２・Ｆ４２、および各切削抵抗Ｆ２３・Ｆ３３・Ｆ４３の発生タイミングに差異が生じる。
【００６９】
これによれば、各切削抵抗Ｆ２２・Ｆ３２・Ｆ４２および各切削抵抗Ｆ２３・Ｆ３３・Ｆ４３の発生タイミングの差異をより小さくできる。つまり、ボーリング工具１０は、前記外的な要因の発生による切削バランスの悪化を抑制できる。
【００７０】
また、各切削抵抗Ｆ２２・Ｆ３２・Ｆ４２および各切削抵抗Ｆ２３・Ｆ３３・Ｆ４３は、前後方向にずれがない状態で発生するため、より確実に互いに打ち消しあうように作用する。このため、ボーリング工具１０は、より切削バランスを向上できる。
【００７１】
このように、ボーリング工具１０は、各仕上刃２３・３３・４３にかかる切削抵抗Ｆ２３・Ｆ３３・Ｆ４３による加工精度への影響度合いを小さくできるとともに、切削バランスを向上できるため、加工精度を向上できる。
また、前記外的な要因が発生した場合でも、切削抵抗Ｆ２２・Ｆ３２・Ｆ４２および各切削抵抗Ｆ２３・Ｆ３３・Ｆ４３の間で生じる一時的な差異をより小さくできるため、前記外的な要因による加工精度の悪化を抑制できる。
【００７２】
従って、ボーリング工具１０は、前記外的な要因が発生した場合でも、切削バランスの悪化を最小限に抑制できる。つまり、加工精度の悪化を最小限に抑制できる。
従って、前記外的な要因が発生した場合でも、下穴Ｗ１に求められる加工精度を確保できる。
【００７３】
ボーリング加工時、下穴Ｗ１の内周面は、各接触面２４・３４・４４の外側の端部と接触する。前述のように、前後方向と各接触面２４・３４・４４とが成す角度α１は、前後方向と各チップの外側２０ｂ・３０ｂ・４０ｂとが成す角度α２よりも小さくなる（図３参照）。
【００７４】
これによれば、各チップ２０・３０・４０は、それぞれ下穴Ｗ１の内周面と各接触面２４・３４・４４との接触面積がより大きくなる。従って、下穴Ｗ１の内周面にキズが生じにくくなる。つまり、ボーリング工具１０は、加工精度を向上できる。
【００７５】
このように、各チップの外側２０ｂ・３０ｂ・４０ｂの端面には、それぞれ下穴Ｗ１の内周面と面で接触する各接触面２４・３４・４４が形成される。
【００７６】
なお、止まり穴（被削材Ｗを貫通しない穴）や、貫通孔に対して部分的に（貫通孔の中途部まで）ボーリング加工を行う場合には、加工された部分の前端部Ｗ２（図７（ａ）参照）には、各荒刃２２・３２・４２および各仕上刃２３・３３・４３の形状が反映される。
つまり、加工された部分の前端部Ｗ２の前後方向に沿った断面形状は、突出部２１・３１・４１の形状に対応する階段形状となる。
【００７７】
このため、下穴Ｗ１の製品形状に制約がある場合、加工された部分の前端部Ｗ２の前後方向に沿った断面形状を考慮する必要がある。
【００７８】
このような場合としては、図７（ａ）に示すように、加工された部分の前端部Ｗ２にベアリングＷ１０を嵌装する場合等がある。
この場合、加工された部分の前端部Ｗ２の前後方向に沿った断面形状を、ベアリングＷ１０に干渉しないような形状に成形する必要がある。
【００７９】
本実施形態のボーリング工具１０では、各荒刃２２・３２・４２と各仕上刃２３・３３・４３との間の前後方向の長さ寸法Ｍ１、および各仕上刃２３・３３・４３の各荒刃２２・３２・４２に対する突出寸法Ｍ２を、適宜の長さ寸法に設定している。
これにより、ボーリング工具１０は、加工された部分の前端部Ｗ２を、ベアリングＷ１０に干渉しないような形状に成形できる。
【００８０】
また、各チップ２０・３０・４０に形成される段差の数（刃の数）は、任意に設定しても構わない。すなわち、図７（ｂ）に示すような三段形状であってもよく、四段以上であっても構わない。
【００８１】
図７（ｂ）に示すような三段形状である場合、各荒刃２２・３２・４２と各仕上刃２３・３３・４３との間に形成される刃は、各中仕上刃２６・３６・４６として機能する。
【００８２】
このような構成において、下穴Ｗ１の製品形状に制約がある場合には、加工された部分の前端部Ｗ２の前後方向に沿った断面形状を考慮する。
すなわち、各荒刃２２・３２・４２と各中仕上刃２６・３６・４６との間の前後方向の長さ寸法Ｍ３、各中仕上刃２６・３６・４６の各荒刃２２・３２・４２に対する突出寸法Ｍ４、各中仕上刃２６・３６・４６と各仕上刃２３・３３・４３との間の前後方向の長さ寸法Ｍ５、および各仕上刃２３・３３・４３の各中仕上刃２６・３６・４６に対する突出寸法Ｍ６を、適宜の長さ寸法に設定すればよい。
【符号の説明】
【００８３】
１０                    ボーリング工具
２０・３０・４０        チップ
２２・３２・４２        荒刃（第一の刃部）
２３・３３・４３        仕上刃（第二の刃部）
Ｆ２３・Ｆ３３・Ｆ４３  切削抵抗
Ｗ                      被削材
Ｗ１                    下穴
【図１】
0005621655.tif 000002
【図２】
0005621655.tif 000003
【図３】
0005621655.tif 000004
【図４】
0005621655.tif 000005
【図５】
0005621655.tif 000006
【図６】
0005621655.tif 000007
【図７】
0005621655.tif 000008
【図８】
0005621655.tif 000009
【図９】
0005621655.tif 000010
【図１０】
0005621655.tif 000011
【図１１】
0005621655.tif 000012
【図１２】
0005621655.tif 000013